(57)【特許請求の範囲】
【請求項１】
磁気テープを巻装した単一のリールが、カートリッジケース内に回転可能に収容され、外部装置のテープ引出し機構によって前記カートリッジケースのテープ引出用開口部から引き出されかつ該テープ引出用開口部から前記カートリッジケース内に挿入されるリーダーピンが、前記磁気テープの先端に取り付けられてなる磁気テープカートリッジにおいて、
第１のアーム部と第２のアーム部とを備えてほぼＬ字状に形成されたリーダーピン保持部材が、第１および第２の位置の間で回動可能に前記カートリッジケースに設けられ、
前記保持部材は、前記第１および第２の位置にあるときにはそれぞれ所定の大きさ以下の力では回動し得ない係止状態とされるように構成され、
前記保持部材が前記第１の位置にあるときには、前記第１のアーム部が前記リーダーピンの出入通路に介入し、かつ前記第２のアーム部が前記リーダーピンの出入通路から側方へ退避しており、
前記リーダーピンが前記カートリッジケース内に挿入されるときには、前記第１の位置にある前記保持部材の前記第１のアーム部が前記リーダーピンに当接して該リーダーピンにより前記所定の大きさよりも大きい力で押されることにより、前記保持部材が前記第１の位置から前記第２の位置まで回動され、これにより前記リーダーピンの出入通路に介入した前記第２のアーム部が前記リーダーピンに係合して該リーダーピンを所定位置に保持し、
前記リーダーピンが前記カートリッジケース内から引出されるときには、前記第２の位置にある前記保持部材の前記第２のアーム部が前記リーダーピンにより前記所定の大きさよりも大きい力で押されることにより、前記保持部材が前記リーダーピンの挿入時とは反対方向に前記第２の位置から前記第１の位置まで回動され、これにより前記リーダーピンの通過を許容するように構成されてなることを特徴とする磁気テープカートリッジ。
【請求項２】
前記第１および第２の位置における前記保持部材の係止状態が、該保持部材と前記カートリッジケースとの間の凹凸係合により達成されることを特徴とする請求項１記載の磁気テープカートリッジ。
【発明の詳細な説明】
【０００１】
【発明の属する技術分野】
本発明は、磁気テープを巻装した単一のリールがカートリッジケース内に回転可能に収容された磁気テープカートリッジに関し、特に、磁気テープの先端部分に取り付けられるリーダーピンのカートリッジケースにおける保持構造に関するものである。
【０００２】
【従来の技術】
従来、コンピュータ等の外部記憶装置に用いられる記録媒体として使用されている磁気テープカートリッジには、磁気テープを巻装した単一のリールが、上ハーフと下ハーフとからなる、ほぼ正方形の平面形を有する偏平なカートリッジケース内に回転可能に収容したものがある。
【０００３】
これらの磁気テープカートリッジは主としてコンピュータメモリのバックアップとして用いられ、その記憶容量も１０ＧＢ程度から１００ＧＢ、さらにはそれ以上のものも実用化に向けて検討が進められている。
【０００４】
従来のこの種の磁気テープカートリッジには例えば２種類の形式があって、その１つは、不使用時に磁気テープが完全にリールに巻き込まれた状態で、カートリッジケースの一隅に形成されたテープ引出し用開口部を覆うように収容されるリーダーブロックに磁気テープの先端部分が係止されるように構成されている。
【０００５】
また、他の形式のものは、カートリッジケースの一側壁に形成されたテープ引出し用開口部に、カートリッジ平面方向に回動開閉可能なリッドが閉位置に向かってばね付勢された態様で取り付けられていて、このテープ引出し用開口部内に組み込まれるフックに上記磁気テープの先端部分が係止されるように構成されている。
【０００６】
このような構成を有する磁気テープカートリッジが、対応する外部記憶装置の記録再生装置にセットされると、下ハーフの中央部に露呈しているリールの係合歯に装置側の回転駆動手段が係合するとともに、前者の場合には、装置側のテープ引出し機構により上記リーダーブロックがそのまま磁気テープとともに引き出されることによって、また後者の場合には、装置側のテープ引出し機構により先にリッドが開かれてから、上記フックが磁気テープとともに引き出されることによって、磁気テープがテープ走行路の所定位置に引き込まれ、磁気テープへのデータの書込み／読出しが可能になる。
【０００７】
【発明が解決しようとする課題】
ところで、最近、装置を小形化することが望まれている。このような観点から、従来用いられているリーダーブロックまたはフックに代えて、太さ３mm程度のリーダーピンを用いることが検討されている。しかしながら、このような細いリーダーピンをカートリッジケースに着脱可能に保持させるには、一般にリーダーピンの両端部の外周面に両側から弾性的に当接するバネ部材をカートリッジケーに設けることが考えられるが、このようなバネ部材のカートリッジケースへの取付けは、取付け工程が繁雑で、カートリッジ組立て時の生産性向上の妨げになる。
【０００８】
このような事情に鑑み、本発明は、磁気テープを巻装した単一のリールがカートリッジケース内に回転可能に収容され、磁気テープカートリッジが装着される外部装置のテープ引出し機構によって上記カートリッジケースから引き出されかつこのカートリッジケース内に挿入されるリーダーピンが、上記磁気テープの先端に取り付けられてなる磁気テープカートリッジにおいて、簡単な構造でリーダーピンをカートリッジケースに着脱可能に保持させることができるリーダーピンの保持構造を提供することを目的とする。
【０００９】
【課題を解決するための手段】
本発明によれば、この磁気テープカートリッジは、第１のアーム部と第２のアーム部とを備えてほぼＬ字状に形成されて第１および第２の位置の間で回動可能な保持部材をカートリッジケースに備えている。この保持部材は、上記第１および第２の位置にあるときにはそれぞれ所定の大きさ以下の力では回動し得ない係止状態とされるように構成されており、上記保持部材が上記第１の位置にあるときには、上記第１のアーム部がリーダーピンの出入通路に介入し、かつ上記第２のアーム部がリーダーピンの出入通路から側方へ退避している。そして、リーダーピンがカートリッジケース内に挿入されるときには、上記第１の位置にある保持部材の第１のアーム部がリーダーピンに当接してこのリーダーピンによって上記所定の大きさよりも大きい力で押されることにより、上記保持部材が上記第１の位置から上記第２の位置まで回動され、これによりリーダーピンの出入通路に介入した上記第２のアーム部がリーダーピンに係合して、リーダーピンを所定位置に保持する。また、リーダーピンがカートリッジケースから引出されるときには、上記第２の位置にある上記保持部材の第２のアーム部がリーダーピンによって上記所定の大きさよりも大きい力で押されることにより、上記保持部材がこのリーダーピンの挿入時とは反対方向に上記第２の位置から上記第１の位置まで回動され、これによりリーダーピンの通過を許容するように構成されている。
【００１０】
上記第１および第２の位置における上記保持部材の係止状態は、この保持部材とカートリッジケースとの間の凹凸係合により達成されることが好ましい。
【００１１】
【発明の効果】
本発明によれば、きわめて簡単な構成によって、リーダーピンを確実にカートリッジケースに着脱可能に保持させることができ、かつカートリッジケースの組立て時の生産性も向上する利点がある。
【００１２】
【発明の実施の形態】
以下、本発明の実施の形態を図面に基づいて詳細に説明する。
【００１３】
図１および図２は、本発明による磁気テープカートリッジの斜視図を示し、図１はそのスライドドアの閉状態を、図２はスライドドアの開状態をそれぞれ示す。
【００１４】
磁気テープカートリッジは、上ハーフ１ａと下ハーフ１ｂとからなるカートリッジケース１内に、磁気テープが巻装された単一のリールを回転可能に収容している。カートリッジケース１の一側壁には、磁気テープの一端を引き出すためのテープ引出用開口部２が上ハーフ１ａと下ハーフ１ｂとに跨がって、かつコーナー部に近接して形成されているとともに、このテープ引出用開口部２を開閉するスライドドア３がこの磁気テープカートリッジの外部装置に対する挿入方向（図２に矢Ａで示す）と平行な方向に摺動可能に設けられている。スライドドア３は、カートリッジケース１内部においてカートリッジケース１とスライドドア３の後端面との間に介装されたばねによって閉位置に向かって付勢され、かつ閉位置に保持されるようになっている。
【００１５】
テープ引出用開口部２に臨む上ハーフ１ａの下面および下ハーフ１ｂの上面には凹部６が形成され、図２から明らかなように、磁気テープの先端部分をクランプしたリーダーピン４がその軸線方向を上下方向として上記凹部６，６間に収容されており、この磁気テープカートリッジが対応する外部記憶装置等の記録再生装置に挿入されると、下ハーフ１ｂの中央部の開口に露呈している図示しないリールの係合歯に装置側の回転駆動手段が係合するとともに、装置側の部材がスライドドア３の前端面３ａに当接してスライドドア３が開かれ、かつ上記テープ引出し機構によりリーダーピン４がクランプされて磁気テープとともに装置側に引き込まれることによって、磁気テープが装置側にセットされ、磁気テープに対するデータの書込み／読出しが可能になる。
【００１６】
また、カートリッジケース１の一側には、磁気テープの消去および二重書込みを防止するための回動式の操作つまみ５が露出している。
【００１７】
図３はリーダーピン４の保持構造を示す図４の III−III 線に沿った断面側面図、図４はリーダーピン４が保持部材によりカートリッジケース１内の所定位置に保持された状態を示す図３のIV−IV線に沿った断面平面図である。また、図５は、リーダーピン４がカートリッジケース１内の所定位置に挿入されるとき、およびリーダーピン４がカートリッジケース１内の所定位置から引き出されるときの途中の状態を示す断面平面図である。
【００１８】
リーダーピン４は、図３に示すように、磁気テープの先端部をクランプするテープクランプ部１１と、このテープクランプ部１１の上下端に形成された細径部１２，１２と、細径部１２，１２の外側に形成された、上記テープクランプ部１１とほぼ同径のフランジ１３，１３とから構成されている。上記細径部１２，１２は、磁気テープカートリッジが記録再生装置にセットされたときに、装置側のテープ引出し機構と係合する係合部を構成し、上記フランジ１３，１３は、カートリッジケース１のテープ引出用開口部２の内側におけるリーダーピン収容凹部６（図２）に対する係合部となっている。テープクランプ部１１は、幅１／２インチ（１２．７mm）の磁気テープ１０に対応する長さを有する。
【００１９】
テープ引出用開口部２に臨む上ハーフ１ａの下面および下ハーフ１ｂの上面にそれぞれ形成された凹部６に挿入されたリーダーピン４は、上ハーフ１ａの下面および下ハーフ１ｂの上面にそれぞれ回動可能に設けられた図４に示すような保持部材１５によって所定位置に保持される。
【００２０】
この保持部材１５は、凹部６の奥側においてカートリッジケース１の上下内壁面にそれぞれ立設された軸１６によって回動可能に軸支され、軸１６からスライドドア３の閉方向とほぼ平行な方向に延びる直線的な第１のアーム部１７と、軸１６からテープ引出用開口部２に向かって湾曲して延びる第２のアーム部１８とを備えてほぼＬ字状に形成されている。第１のアーム部１７は、その内側にテープ引出用開口部２側に面するほぼ直線的な係合エッジ１７ａを備え、第２のアーム部１８は、その内側に湾曲した係合エッジ１８ａを備えている。
【００２１】
また、上記保持部材１５は、図５に示すように、その第２のアーム部１８がリーダーピン４のフランジ１３の出入通路から側方へ退避して、リーダーピン４のカートリッジケース１内への挿入およびカートリッジケース１内からの引出しを許容する第１の位置と、図４に示すように、その第２のアーム部１８の内側の湾曲したエッジ１８ａがリーダーピン４のフランジ１３に係合してリーダーピン４を保持する第２の位置との間において回動可能に軸支されている。
【００２２】
保持部材１５は、その第１のアーム部１７の先端部下面に係合突起１９を備えているとともに、カートリッジケース１の上下内壁面には、図６（ａ）に示すように、保持部材１５が上記第１の位置にあるときに上記係合突起１９に係入して、保持部材１５を上記第１の位置に係止する係合凹部２０と、図６（ｂ）に示すように、保持部材１５が上記第２の位置にあるときに上記係合突起１９に係入して、保持部材１５を上記第２の位置に係止する係合凹部２１とが形成されている。なお、カートリッジケース１の上下内壁面側に係合突起を、保持部材１５側に係合凹部を設けてもよい。
【００２３】
保持部材１５は、リーダーピン４が磁気テープとともにカートリッジケース１の外部に引き出されているときには、図５に示すように、第２のアーム部１８がリーダーピン４のフランジ１３の出入通路から側方へ退避しているとともに、保持部材１５の係合突起１９が図６（ａ）に示すように係合凹部２０に係入して第１の位置に係止され、第１のアーム部１７がフランジ１３の出入通路に介入している。したがって、リーダーピン４がテープ引出用開口部２からカートリッジケース１内に挿入されると、リーダーピン４のフランジ１３が保持部材１５の第１のアーム部１７のエッジ１７ａに当接することにより、保持部材１５はリーダーピン４に押されて軸１６の周りで図５の反時計方向へ第２の位置まで回動され、図４に示すように、第２のアーム部１８がフランジ１３の出入通路に介入して、エッジ１７ａ，１８ａの間でリーダーピン４を保持する。同時に、係合突起１９が図６（ｂ）に示すように係合凹部２１に係入し、保持部材１５は図４に示す状態に係止される。
【００２４】
なお、このときのリーダーピン４の保持は、第２のアーム部１８のエッジ１８ａと凹部６の奥の壁部との間にフランジ１３を挟着するようにして行なってもよい。
【００２５】
次に図４に示す状態からリーダーピン４がテープ引出用開口部２に向かって引き出されると、この移動に伴ってリーダーピン４のフランジ１３が保持部材１５の第２のアーム部１８のエッジ１８ａを押すことにより、保持部材１５が第１の位置まで時計方向に回動される。したがって、第２のアーム部１８がリーダーピン４のフランジ１３の出入通路から側方へ退避してリーダーピン４の通過が許容される。同時に、係合突起１９が図６（ａ）に示すように係合凹部２０に係入し、保持部材１５は図５に示す状態に係止される。
【００２６】
以上の説明から明らかなように、本実施の形態によれば、リーダーピン４がカートリッジケース１に挿入されるときには、保持部材１５がその第１の位置においてリーダーピン４に当接し、かつこのリーダーピン４よって第２の位置まで回動されて、リーダーピン４を保持し、リーダーピン４がカートリッジケース１から引き出されるときには、保持部材１５がリーダーピン４によってリーダーピン４の挿入時とは反対方向に第１の位置まで回動されて、リーダーピン４の通過を許容するするようになっているから、きわめて簡単な構成によって、リーダーピン４を確実にカートリッジケース１に着脱可能に保持することができる。
【００２７】
なお、図示の実施の形態では、保持部材１５がカートリッジケース１の上ハーフ１ａおよび下ハーフ１ｂの双方に設けられているが、保持部材１５がいずれか一方のみに設けられたものであってもよい。
【図面の簡単な説明】
【図１】本発明による磁気テープカートリッジを、そのスライドドアの閉状態で示す斜視図
【図２】図１の磁気テープカートリッジを、そのスライドドアの開状態で示す斜視図
【図３】リーダーピンの保持構造を示す図４の III−III 線に沿った断面側面図
【図４】リーダーピンが保持部材によりカートリッジケース内の所定位置に保持された状態を示す図３のIV−IV線に沿った断面平面図
【図５】リーダーピンがカートリッジケース内に挿入されるとき、およびリーダーピンがカートリッジケース内から引き出されるときの途中の状態を示す断面平面図
【図６】保持部材が第１および第２の位置でそれぞれ係止される状態を示す図４のVI−VI線に沿った断面図
【符号の説明】
１    カートリッジケース
１ａ    上ハーフ
１ｂ    下ハーフ
２    テープ引出用開口部
３    スライドドア
４    リーダーピン
６    カートリッジケースの凹部
１１    リーダーピンのテープクランプ部
１２    リーダーピンの細径部
１３    リーダーピンのフランジ
１５    保持部材
１６    軸
１７    保持部材の第１のアーム部
１８    保持部材の第２のアーム部
１９    保持部材の係合突起
２０，２１    カートリッジケースの係合凹部
【図１】
0003961104.tif 000002
【図２】
0003961104.tif 000003
【図３】
0003961104.tif 000004
【図４】
0003961104.tif 000005
【図５】
0003961104.tif 000006
【図６】
0003961104.tif 000007